(57)【要約】      （修正有）【課題】従来の指人形では表わせない動き、即ち、歩行、走行動作等の下半身の動きを伴う多種多様の全身動作を行うようにキャラクター等の人形を操ることができ、且つ、保温具としての利用も可能で、着用時においてもキャラクター等の人形をアピールできる面白さを備えた遊戯手袋を提供する。【解決手段】少なくとも２つの指挿入部１〜４と、甲部５と、掌部と、手首部７と、手挿入口８とを備えた手袋であって、前記手首部７の甲側にキャラクター人形、動物ぬいぐるみ等の人形の頭部９をその頭頂が前記手挿入口８の方に向くようにして配し、前記甲部５を前記人形の胴部とし、前記指挿入部１〜４を前記人形の手足部として成る。【選択図】図１
0003118225.tif 000002
【実用新案登録請求の範囲】
【請求項１】
少なくとも２つの指挿入部と、甲部と、掌部と、手首部と、手挿入口とを備えた手袋であって、前記手首部の甲側にキャラクター人形、動物ぬいぐるみ等の人形の頭部をその頭頂が前記手挿入口の方に向くようにして配し、前記甲部を前記人形の胴部とし、前記指挿入部を前記人形の手足部として成る人形をあしらった遊戯手袋。
【請求項２】
前記指挿入部として、人形の足に対応して延びるものが２つと、人形の腕に対応して左右に斜めに延びるものが２つ形成される請求項１に記載の人形をあしらった遊戯手袋。
【請求項３】
前記人形の頭部を前記手首部に対し脱着自在にしたことを特徴とする請求項１又は２に記載の人形をあしらった遊戯手袋。
【考案の詳細な説明】
【技術分野】
【０００１】
本考案は、人形をあしらった遊戯手袋、より詳細には、キャラクター人形や動物のぬいぐるみ等を表わした外観の手袋であって、手を差し入れて操り人形の如き動きを表現することができる人形をあしらった遊戯手袋に関するものである。
【背景技術】
【０００２】
人形等をあしらった袋状体内に手を差し入れて、指で操って動作させるものとして指人形がある。一般に指人形は、その人形の頭部分がその指人形自体の上部になり、手を挿入するために下部はスカートのような形状になっていて、挿入した手の指の操作で、人形の頭部及び手の動きを表わすようにしている。
【０００３】
かかる指人形を手袋兼用とするものが提唱されている（例えば、特開２００１−３１６９２０号）。それは、ミトン、即ち、親指を挿入する小袋部分と他の４本の指を挿入する大袋部分を備えたものに似た構造で、親指及び小指を挿入する２つの小袋部分と、残りの３本を挿入する大袋部分とから成り、大袋部分の甲側にキャラクター人形等の頭部を備え付けたものである。その頭部は、大袋部分の３本の指を伸ばした状態において甲側に隠れ、その３本の指を曲げた状態において掌側に表われる面白さがある。
【０００４】
上記形態の指人形ないし手袋を操るとき、手を入れた後に当該手の指で人形を操ることができるのは、当該人形の頭、顔、手といった人形の上半身部分であり、人形の足を操ること、即ち、歩行とか走行とかの下半身の動作表現は困難であり、動作表現に限界がある。
【０００５】
また、上記指人形は、手を上に向けた状態でしかキャラクター等の人形を生かすことができないため、着用しての歩行時等には、その人形をアピールすることができない。
【特許文献１】特開２００１−３１６９２０号公報
【考案の開示】
【考案が解決しようとする課題】
【０００６】
本考案は上記事情に鑑みてなされたもので、従来の指人形では表わせない動き、即ち、歩行、走行動作等の下半身の動きを伴う多種多様の全身動作を行うようにキャラクター等の人形を操ることができ、且つ、保温具としての利用も可能で、着用時においてもキャラクター等の人形をアピールできる面白さを備えた遊戯手袋を提供することを課題とする。
【課題を解決するための手段】
【０００７】
上記課題を解決するための請求項１に記載の考案は、少なくとも２つの指挿入部と、甲部と、掌部と、手首部と、手挿入口とを備えた手袋であって、前記手首部の甲側にキャラクター人形、動物ぬいぐるみ等の人形の頭部をその頭頂が前記手挿入口の方に向くようにして配し、前記甲部を前記人形の胴部とし、前記指挿入部を前記人形の手足部として成る人形をあしらった遊戯手袋である。
【０００８】
好ましくは、前記指挿入部として、人形の足に対応して延びるものが２つと、人形の腕に対応して左右に斜めに延びるものが２つ形成される。また、前記人形の頭部は、前記手首部に対し脱着自在にされる。
【考案の効果】
【０００９】
本考案は上記構成であるため、キャラクター等の人形の全身の動き、殊に下半身の歩行、走行等の動作を活き活きと可愛らしく表現することが可能で、また、一般の手袋としての利用が可能で、着用して手を下げた状態で歩行する際に、当該キャラクター人形等と一緒に歩いているように見える面白さを醸し出す効果がある。
【考案を実施するための最良の形態】
【００１０】
本考案を実施するための最良の形態について、添付図面に依拠して説明する。図１は、本考案に係る遊戯手袋の一構成例の表側（甲側）を示し、図２はその裏側（掌側）を示すもので、それは、指挿入部１〜４と、甲部５と、掌部６と、手首部７と、手挿入口８を備えて成る。各部は手袋に適応する布製で、外皮には、その人形に対応するぬいぐるみ生地等が用いられる。
【００１１】
指挿入部１〜４は、少なくとも人形の足に対応するものが２つ（指挿入部１、２）設けられるが、普通は更に、人形の腕に対応するものが、左右に１つずつ形成される（指挿入部３、４）。
【００１２】
甲部５及び掌部６は人形の胴部を構成する。手首部７にはその甲側に、キャラクター人形、動物人形等の人形の頭部９が、その頭頂が手挿入口８の方に向くようにして取り付けられる。かくして本遊戯手袋を、手挿入口８を上にして立てると（図１の状態）、キャラクター人形、ぬいぐるみ人形等の人形の体を成すことになる。
【００１３】
頭部９は、ホック、布ファスナー等の手段を介して手首部７に脱着自在にし、邪魔なときに外したり、交換したりすることができるようにしてもよい。
【００１４】
本遊戯手袋は、通常の手袋として使用する他、操り人形の如き動きをする遊戯人形として使用することができる。即ち、通常の手袋と同様にして手に装着する（例えば、左手の場合、親指と小指をそれぞれ指挿入部３、４に入れ、人差し指を指挿入部１に、また、中指と薬指を挿入部２に入れる。）。
【００１５】
かくして着用したまま手を下げた状態で歩くと、当該キャラクター人形等と一緒に歩行しているように見える面白さがある。
【００１６】
また、指挿入部１〜４を自在に動かすことができるため、指挿入部１、２をテーブル面等の上に着けて動かすと、当該キャラクター人形等が恰も歩行または走行等の動作をしているが如く、生き生きとして可愛らしい動きを表現でき、遊び心を刺激する面白さがある。両手を用いることにより、１人で２つの遊戯手袋を操ることができることは言うまでもない（図３参照）。
【００１７】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１８】
【図１】本考案に係る遊戯手袋の一構成例の甲側を示す図である。
【図２】本考案に係る遊戯手袋の一構成例の掌側を示す図である。
【図３】本考案に係る遊戯手袋の使用例を示す図である。
【符号の説明】
【００１９】
１    指挿入部
２    指挿入部
３    指挿入部
４    指挿入部
５    甲部
６    掌部
７    手首部
８    手挿入口
９    頭部
【図１】
0003118225.tif 000003
【図２】
0003118225.tif 000004
【図３】
0003118225.tif 000005